(57)【要約】      （修正有）【課題】建物等の屋上緑化において、保水能力、水分供給機能と同時に、気温上昇時の蒸発防止機能、植物の種類に合わせて水分供給調整機能を有する屋上緑化構造の開発。【解決手段】建築物屋上の緑化工法に使用される構造であって、屋上防水層上に、（１）保水性マット、（２）蒸発抑制シート、（３）植生層を積層してなることを特徴とする屋上緑化構造。不透水性シートに任意の開孔率で孔を開けた蒸発抑制シートを使用することを特徴とする上記に記載された屋上緑化構造。【選択図】図１
2004270314.tif 000002
【特許請求の範囲】
【請求項１】
建築物屋上の緑化工法に使用される構造であって、屋上防水層上に、（１）保水性マット、（２）蒸発抑制シート、（３）植生層を積層してなることを特徴とする屋上緑化構造。
【請求項２】
不透水性シートに任意の開孔率で孔を開けた蒸発抑制シートを使用することを特徴とする請求項１に記載された屋上緑化構造。
【発明の詳細な説明】
【０００１】
【発明の属する技術分野】
本発明は、建築物屋上に施工する緑化構造に関する。
【０００２】
【発明が解決しようとする課題】
【０００３】
現在都市部では、夏季、夜になっても気温が下がらない、所謂ヒートアイランド現象が問題となっており、その問題解決方法の１つとして、ビル等の建築物の屋上や屋根部を緑化することにより、建物内部への断熱効果を高め、ビル居住者にも涼感を与えるなどの他、都市部全体で屋上緑化を推進することにより、コンクリートからの放熱を抑制して夜間の気温を下げる効果が期待できる。
【０００４】
屋上緑化のための構造は、近年各社によって研究開発が進み、様々なものが提案されているが、既存の建物の屋上に施工しようとする場合には、既防水層及びその保護層の上に、新たに防水シート等により防水層を設置し、植物の通根により防水層を破ることを防止するための耐根シートを敷設後、植物育成のための保水層、人工地盤による植生層が形成される。特に屋上緑化の場合、植物への潅水管理を行なうことは困難なことが多く、できるだけメンテナンスフリーで植物育成が可能となるシステムが好ましい。このため、保水層の形成が必要であり、特開２０００−１４２４６号には十分な保水性を有すると同時に、貯留水を入れ替える排水性能にも優れる保水マットが、特開２００２−８４８８９号には繊維と発泡ポリウレタンとの固形物からなり、裏面に縦横の溝を圧縮成形して成る保水用パッドが、それぞれ開示されている。
【０００５】
【課題を解決するための手段】
これらの保水マット、保水パッドは屋上緑化のための植生層にとり、保水性、余剰水の排水性に優れるが、保水能力一杯の水分供給機能を有するのみであり、気温上昇時の蒸発防止機能は考慮されていない。また、植物の種類によって、湿度を好む物、乾燥を好む物など、水分供給を適正に調整する必要があるが、上記の保水マット、パッドではこの様な機能は有していない。
そこで、上記課題を解決せんとして、本発明者は鋭意研究の結果、保水機能を有すると共に、蒸発防止、水分供給調整機能を有する屋上緑化構造を発明したものである。その要旨は以下に存する。
【０００６】
建築物屋上の緑化工法に使用される構造であって、屋上防水層上に、（１）保水性マット、（２）蒸発抑制シート、（３）植生層を積層してなることを特徴とする屋上緑化構造。
【０００７】
不透水性シートに任意の開孔率で孔を開けた蒸発抑制シートを使用することを特徴とする上記に記載された屋上緑化構造。
【０００８】
本発明が適用可能な建物は、一般に屋上緑化が計画されるオフィスビル、集合住宅、公共建築・構築物、個人住宅などいかなる建物であっても適用可能である。建物部位は、いわゆるビルの屋上部だけでなく、バルコニー、ベランダ、高層公共広場、フラットルーフや傾斜屋根、あるいは壁面緑化土木工事にも応用が可能である。
【０００９】
本発明を実施する場合には、まず施工面に屋上緑化用の強化された防水層を設置する。新築建物に屋上緑化が計画された場合には、植物育成のための潅水が考慮された防水工事が実施されるため、特に必要はないが、既存建物の屋上緑化工事の場合には、新たな防水層の設置が必要となることが多い。防水層は、樹脂シートによるシート防水等が好適である。
【００１０】
次に、植物の通根により防水層を破る対策として、防水層の上に耐根シートを敷設する。耐根シートは、屋上緑化工事に従来一般に使用されているものであれば、特に制限は無い。塩化ビニル樹脂、非加硫ゴム系などのシートが知られている。
【００１１】
耐根シートの上に、保水マットを載置する。保水マットは、十分な保水機能を有する樹脂性マットであれば良く、ピートモス、バーミキュライト等の保水性物質や、水分再放出型の吸水性樹脂（保水性樹脂）をシート状に加工したもの、あるいはこれらを水分透過樹脂フィルムや不織布等により被覆しシート状としたもの、各種合成樹脂繊維、無機繊維、天然繊維をニードルパンチング加工したニードルフェルト、熱硬化性樹脂をバインダーとしたレジンフェルト、熱可塑性樹脂をバインダーとした熱可塑フェルト、ポリウレタン、ポリスチレン、ポリエチレン、塩化ビニル、酢酸ビニル等の樹脂フォーム材、これらの積層、若しくは複合材等が例示できる。これらの保水マットの下側設置面には、余剰水の排水のために、適当な間隔を開けて溝を設けてもよい。溝は、フォーム材成形の際に必要形状に成形しても良く、メッシュ状の溝形状部品を後から必要に応じ取りつけてから、設置しても良い。
【００１２】
保水マット上に、蒸発抑制シートを密着積層載置する。蒸発抑制シートは、保水マット上に保水されている水分が蒸発することを防止するためのものであるため、強度と不透水性が必要である。ポリエチレン、ポリプロピレン、ポリスチレン、ポリ塩化ビニル、ＥＶＡ（エチレン−酢酸ビニル共重合体）等の各種の樹脂フィルムが例示できる。さらに、保水された水分を植物へ供給するため、蒸発抑制シートには任意の開孔率・孔の大きさで孔が開けられていることが必須である。蒸発抑制シートの全面に、均一に孔を開けていても良いが、屋上の植栽計画によって孔を開ける位置を施工時に決定しても良い。
【００１３】
開口率は植栽により決められるが、２〜５０％（面積比）が適当である。２％未満であると水分供給が不充分となり、保水された水分の循環が悪化し、水が腐敗する虞れがある。５０％を超える開孔率であると水分の蒸発抑制効果が著しく低下し、保水機能が損なわれる虞れがある。孔の大きさ、形状に関しては特に制限は無いが、１つの孔の面積が５ｃｍ２を超えると、水分の蒸発抑制効果が著しく低下し、保水機能が損なわれる虞れがある。
【００１４】
蒸発抑制シートの上に、植生層が形成される。植生層は、特に制限は無く、従来屋上緑化工事で使用されてきたものが使用できる。バーミキュライト、パーライト等の人工土壌をバインダーで固めたもの、保水マットと同様、樹脂フォーム材やフェルト状物、無論自然土壌であっても使用できる。但し、一般に屋上は風が強い環境であるため、植生層内部に植物種子を分散させ発芽させておき、これを設置施工する方法も推奨される。
【００１５】
保水マット、蒸発抑制シート、植生層を積層一体化し、ユニット化させておくことも可能であり、保水マットに余剰水排水のための溝をつけた場合には、溝の位置を合わせて上記ユニットを設置することにより、極めて短時間に屋上緑化工事が完了する。
【００１６】
工事設置された屋上緑化構造は、人工散水により、あるいは降雨により植生層に水が通り、一次的に水分が供給され、植物に吸収されなかった水分は、植生層を通過して蒸発抑制シートに達し、蒸発抑制シートを伝って孔部から保水マットに至り、保水される。
【００１７】
保水マットにおいて保水された水分は、植物の水分吸収力により随時利用される。なお、通常気温上昇により蒸発する水分は、その大部分が蒸発抑制シートにより冷却、結露し、保水マットに還元される。従って最初にある程度水が供給され、保水マットに十分に保水された後は、ほとんど潅水管理を行なう必要がなくなる。また、連続した降雨などで過剰に水分が供給された場合には、保水マットに設置した余剰水排水溝から外に排水される。
【００１８】
【発明の実施の形態】
以下に、本発明の理解を助けるために具体的な実施例を説明する。言うまでもないが、本発明は以下の実施例に限定されるものではない。
【００１９】
【実施例】
ポリウレタンフォームを保水マットとして、開孔率１５％で全面に均一に孔を開けたポリエチレンフィルムを蒸発抑制シートとして、嵩高性フェルト中に予め西洋芝（ケンタッキーブルーグラス・ペントグラス混合）の種子を散布したものを植生層として、これらを積層一体化し、十分な散水を実施して、終日日射の得られるビル屋上に載置した。
【００２０】
【比較例】
上記実施例の構成中、蒸発抑制シートを省き、他の構成は同じものを比較例とした。
【００２１】
【結果】
３ヵ月後に実施例及び比較例の状態を観察したところ、実施例には全面均一に西洋芝が生育していた。比較例は植生層表面が乾燥してしまい、西洋芝はまばらに生育しているのみであった。
【００２２】
【発明の効果】
本発明になる屋上緑化構造によれば、一般には厳しい管理が必要となる潅水管理がほとんど不要となり、メンテナンスフリーの屋上緑化が容易に実現可能である。また、植栽に使用する植物の種類によって供給する水分量を調整することも可能であるため、多くの種類の植物に対応可能な屋上緑化構造である。
【図面の簡単な説明】
【図１】本発明になる屋上緑化構造の施工例を、拡大断面図として模式的に図示したものである。
【図１】
2004270314.tif 000003